(57)【要約】【課題】就寝時における人物の姿勢変更を抑制可能であり、好適に経年使用が可能な敷寝具を提供する。【解決手段】人が寝る際に下に敷く敷寝具１において、人物を寝かせる部分を含んで広がる寝床部２０と、隆起形成体１１を収納可能な収納部４０とがそれぞれ形成された構造とする。そして、隆起形成体１１は、収納部４０の内部への入れ込みと、内部から外部への取り出しが可能なものとする。そして、隆起形成体１１を収納部４０に入れ込み、収容した状態とすることで、寝床部２０に周囲よりも隆起する隆起部分が形成される構造とする。【選択図】図２
2019107403.tif 000002
【特許請求の範囲】
【請求項１】
本体部と、隆起形成体を備え、
前記本体部は、人物を寝かせる部分を含んで広がる寝床部を有し、
前記本体部には、前記隆起形成体を収納可能な収納部が形成されており、
前記隆起形成体は、前記収納部の内部への入れ込みと、前記収納部の内部からの取り出しが可能であり、
前記隆起形成体を前記収納部に収納した状態とすることで、前記寝床部に周囲よりも隆起する隆起部分が形成されることを特徴とする敷寝具カバー。
【請求項２】
前記収納部に収納された前記隆起形成体を前記収納部の内部で動かすことで、前記隆起形成体の収納位置を変更可能であることを特徴とする請求項１に記載の敷寝具カバー。
【請求項３】
前記隆起形成体は、外力により変形するものであり、
前記収納部は、狭窄した開口部を有する袋状部分であることを特徴とする請求項１又は２に記載の敷寝具カバー。
【請求項４】
前記隆起部分は、寝かせた人物の両脇と股下に隣接する個所に形成されていることを特徴とする請求項１乃至３のいずれかに記載の敷寝具カバー。
【請求項５】
前記寝床部には、人物を寝かせる位置を特定する目印部が設けられており、
前記目印部は、頭部の位置、胴部の位置、腕部の位置、脚部の位置からなる群の少なくとも一つを特定するものであることを特徴とする請求項１乃至４のいずれかに記載の敷寝具カバー。
【請求項６】
寝かせた人物の動きを制限するベルト部がさらに設けられ、
前記ベルト部は、規定位置に寝かせた人物の胴部分を横切るように延びた状態とすることが可能であることを特徴とする請求項１乃至５のいずれかに記載の敷寝具カバー。
【請求項７】
基材と、請求項１乃至６のいずれかに記載の敷寝具カバーを備えたことを特徴とする敷寝具。
【請求項８】
本体部と、隆起形成体を備え、
前記本体部は、人物を寝かせる部分を含んで広がる寝床部を有し、
前記本体部には、前記隆起形成体を収納可能な収納部が形成されており、
前記隆起形成体は、前記収納部の内部への入れ込みと、前記収納部の内部からの取り出しが可能であり、
前記隆起形成体を前記収納部に収納した状態とすることで、前記寝床部に周囲よりも隆起する隆起部分が形成されることを特徴とする敷寝具。
【発明の詳細な説明】
【技術分野】
【０００１】
本発明は、就寝時に人の体の下に敷くマット、クッション等の敷寝具に関するものであり、特に子供を寝かせる際に好適な敷寝具カバー、並びに、敷寝具に関するものである。
【背景技術】
【０００２】
従来、乳幼児のような子供を寝かすための寝具として、様々なものが知られている。例えば、その一つとして、特許文献１に開示されたものがある。
【０００３】
特許文献１には、二つのクッションパーツを組み合わせて形成される乳幼児用クッションが開示されている。この乳幼児用クッションは、それぞれ端部側に窪み部分を有するクッションパーツを備えており、それぞれの窪み部分が向き合うように二つのクッションパーツを並べ、これらを連結して一体のクッションを形成している。すなわち、全体として中央側に大きな窪み部分が形成されるクッションとなっている。
【０００４】
そして、この乳幼児用クッションは、中央側に形成された窪み部分の上に乳幼児の胴部分の大部分が位置するように、乳幼児を寝かせるものとなっている。
【先行技術文献】
【特許文献】
【０００５】
【特許文献１】特開２０１３−１５３９４７号公報
【発明の概要】
【発明が解決しようとする課題】
【０００６】
ところで、仰向けの状態で寝かせた乳幼児は、寝ている間に寝返り動作を行うことで、大人が目を離している間にうつ伏せ状態になることがある。ここで、乳幼児がうつ伏せ状態で寝ていると、下に敷かれたマット等が柔らかい場合、窒息の危険が生じてしまう。
そして、特許文献１に開示された乳幼児クッションは、この乳幼児の寝返りを防止するという観点から改良の余地があった。
【０００７】
また、クッションパーツが経年使用によりくたびれてくると、クッションパーツ全体を交換せねばならず、経年使用時の費用を削減するという観点でも改良の余地があった。
【０００８】
そこで本発明は、就寝時における人物の姿勢変更を抑制可能であり、好適に経年使用が可能な敷寝具を形成するための技術を提供することを課題とする。
【課題を解決するための手段】
【０００９】
上記課題を解決するための請求項１に記載の発明は、本体部と、隆起形成体を備え、前記本体部は、人物を寝かせる部分を含んで広がる寝床部を有し、前記本体部には、前記隆起形成体を収納可能な収納部が形成されており、前記隆起形成体は、前記収納部の内部への入れ込みと、前記収納部の内部からの取り出しが可能であり、前記隆起形成体を前記収納部に収納した状態とすることで、前記寝床部に周囲よりも隆起する隆起部分が形成されることを特徴とする敷寝具カバーである。
【００１０】
本発明によると、寝床部に人物を寝かせたとき、人物の傍に周囲よりも隆起する隆起部分を形成することができる。このことから、例えば乳幼児を仰向けで寝かした状態とし、眠った乳幼児が無意識に寝返り動作をしても、形成した隆起部分によってこの寝返り動作を制限し、うつ伏せ状態となることを抑制できる。つまり、寝かせた人物（乳幼児）の姿勢変更を抑制できる。
また、隆起形成体を収納部に収納した状態とすることで、寝床部に周囲よりも隆起する隆起部分が形成される構造であるから、隆起形成体がくたびれても隆起形成体のみを交換すればよく、カバー全体を交換する必要がない。このため、経年使用時にかかる費用を低減できる。
さらに、隆起形成体を取り外した状態で洗濯することが可能であるので、手入れが容易である。さらにまた、マット本体やクッション本体といった就寝具の基材に隆起部分を形成する構造とは異なり、就寝具カバーによって隆起部分を形成する構造であるので、基材を歪な形状とする必要がなく、製造が容易である。
なお、ここでいう「敷寝具」は、マット、ベッド用マット、クッション、敷布団等の寝具であり、人が就寝時に体の下に敷く寝具である。また、以下の記載についても同様とする。
【００１１】
請求項２に記載の発明は、前記収納部に収納された前記隆起形成体を前記収納部の内部で動かすことで、前記隆起形成体の収納位置を変更可能であることを特徴とする請求項１に記載の敷寝具カバーである。
【００１２】
かかる構成によると、隆起形成体の収納位置を変更することで、隆起部分の形成位置の微調整が可能である。このことから、寝かせる人物（例えば、乳幼児）の体の大きさに応じて適切な位置に隆起部分を形成可能となり、体の大きさの異なる様々な人物（乳幼児）寝かせることができる。また、それぞれの人物にとって、寝るときに不快にならない位置に隆起部分を形成可能であり、寝心地がよい敷寝具を形成できる。
【００１３】
請求項３に記載の発明は、前記隆起形成体は、外力により変形するものであり、前記収納部は、狭窄した開口部を有する袋状部分であることを特徴とする請求項１又は２に記載の敷寝具カバーである。
【００１４】
かかる構成によると、収納部に隆起形成体が収納された状態において、人物の睡眠中の動きによって隆起形成体が開口部側へ押されても、隆起形成体が開口部を通過し難くすることができる。つまり、隆起形成体の意図しない外部への押し出しを抑制できる。
【００１５】
請求項４に記載の発明は、前記隆起部分は、寝かせた人物の両脇と股下に隣接する個所に形成されていることを特徴とする請求項１乃至３のいずれかに記載の敷寝具カバーである。
【００１６】
人物の姿勢変更をより確実に抑制するという観点から、このような構造とすることが好ましい。
【００１７】
請求項５に記載の発明は、前記寝床部には、人物を寝かせる位置を特定する目印部が設けられており、前記目印部は、頭部の位置、胴部の位置、腕部の位置、脚部の位置からなる群の少なくとも一つを特定するものであることを特徴とする請求項１乃至４のいずれかに記載の敷寝具カバーである。
【００１８】
かかる構成によると、適切な位置に人物を寝かせることができる。
【００１９】
請求項６に記載の発明は、寝かせた人物の動きを制限するベルト部がさらに設けられ、前記ベルト部は、規定位置に寝かせた人物の胴部分を横切るように延びた状態とすることが可能であることを特徴とする請求項１乃至５のいずれかに記載の敷寝具カバー。
【００２０】
人物の姿勢変更をより確実に抑制するという観点から、このような構造とすることが好ましい。
【００２１】
請求項７に記載の発明は、基材と、請求項１乃至６のいずれかに記載の敷寝具カバーを備えたことを特徴とする敷寝具である。
【００２２】
本発明の就寝具は、上記の敷寝具カバーを備えており、上記と同様に、寝かせた人物（乳幼児）の姿勢変更を抑制できる。さらに、経年使用時にかかる費用を低減可能であり、手入れが容易である。また、基材の設計自由度が高く、製造が容易である。
【００２３】
請求項８に記載の発明は、本体部と、隆起形成体を備え、前記本体部は、人物を寝かせる部分を含んで広がる寝床部を有し、前記本体部には、前記隆起形成体を収納可能な収納部が形成されており、前記隆起形成体は、前記収納部の内部への入れ込みと、前記収納部の内部からの取り出しが可能であり、前記隆起形成体を前記収納部に収納した状態とすることで、前記寝床部に周囲よりも隆起する隆起部分が形成されることを特徴とする敷寝具である。
【００２４】
本発明の就寝具においても、上記と同様に、寝かせた人物（乳幼児）の姿勢変更を抑制可能であり、経年使用時にかかる費用を低減可能である。
【発明の効果】
【００２５】
本発明によると、就寝時における人物の姿勢変更を抑制可能であり、好適に経年使用が可能な敷寝具を形成する。
【図面の簡単な説明】
【００２６】
【図１】本発明の実施形態に係る子供用敷寝具を示す斜視図である。
【図２】図１の子供用敷寝具を示す分解斜視図である。
【図３】図２のクッション体を形成する様子を示す説明図であり、（ａ）〜（ｃ）の順に形成する。
【図４】図１の子供用敷寝具を示す断面図であり、（ａ）がＡ−Ａ断面図、（ｂ）がＢ−Ｂ断面図であって、第一目印部、第二目印部及びベルト部材を省略して示す。
【図５】図１の子供用敷寝具の収容部の形成位置を模式的に示す説明図である。
【図６】図１の子供用敷寝具に乳幼児を寝かせた状態を示す説明図である。
【図７】収容部にクッション部材を入れ込む様子を模式的に示す説明図であり、（ａ）〜（ｃ）の順に入れ込む。
【図８】収容部の内部でクッション部材を動かす様子を模式的に示す説明図であり、（ａ）、（ｂ）はそれぞれ異なる位置にクッション部材が配された状態を示す。
【図９】図１とは異なる形態の子供用寝具を示す説明図であり、（ａ）は斜視図、（ｂ）は（ａ）のＣ−Ｃ断面図であって、第一目印部、第二目印部及びベルト部材を省略して示す。
【図１０】図９の内部収容部材を示す図であり、（ａ）は斜視図、（ｂ）は分解斜視図である。
【発明を実施するための形態】
【００２７】
以下、本発明の実施形態に係る子供用敷寝具１（敷寝具）について、図面を参照しつつ詳細に説明する。また、前後、上下、左右の方向は、特に断りのない限り、図１を基準に説明とするものとし、子供（人物）を寝かせた際に足側となる位置を前側、頭側となる位置を後側とする。つまり、前後方向は、平面視において、寝かせた子供の身長方向であり、左右方向は、寝かせた子供の身長方向と直交する方向である。
【００２８】
本実施形態の子供用敷寝具１は、図１、図２で示されるように、基材２に綿シート３を取り付けて形成される内部収容部材４をカバー５（敷寝具カバー）の内部に収容して形成される敷寝具である。
【００２９】
基材２は、図２、図３で示されるように、樹脂繊維によって形成される立体網状構造体である。すなわち、基材２は、ポリエチレン等の熱可塑性の樹脂によって形成された複数本の線条体が不規則に蛇行して絡み合い、線条体同士の随所が熱接着され、全体として横倒した略台形柱状となる構造体を形成している。
つまり、基材２は、線条体と線条体の間に無数の空隙が形成され、表面及び内部にこの空隙を有する立体の部材となっている。そして、一部又は全ての表面側の空隙と内部側の空隙とが連続している。
【００３０】
この基材２の全体形状は、対となる両端部の一方側（前端側）から他方側（後端側）にかけて連続的に高さが高くなる（厚さが厚くなる）形状となっている。すなわち、実質的な上面を形成する部分は、後側に向かうにつれて上り勾配となる傾斜面を形成するように広がっている。
なお、ここでいう「実質的な上面」とは、基材２の全体形状における上面であり、線条体によって形成される僅かな突出部分や、空隙によって形成される欠落部等、実質的に無視できる微細な凹凸（高低差）を許容する面とする。以下で記載する基材２の各面についても同様とする。
【００３１】
綿シート３は、綿繊維を箔状、帯状、又はシート状に形成した部材である。
【００３２】
内部収容部材４は、図３で示されるように、基材２に対して綿シート３を取り付けて形成される部材であり、敷寝具の芯材となるクッション体を形成する部材である。
詳細には、綿シート３は、基材２に巻き付けるように取り付けられており、基材２の底面の前方側の一部と、前面と、上面と、後面と、底面の後方側の一部を覆うように取り付けられ、これら各部と接触している。
つまり、綿シート３は、基材２の下方側の一部と、前側部分と、上側部分と、後側部分のそれぞれと重なるように取り付けられる部材であり、少なくとも一部が基材２に載置される（基材２の上面と接触する）部材である。
【００３３】
このことから、内部収容部材４の上側部分は、図４で示されるように、基材２の層と、綿シート３の層からなる二層の積層構造となっている。
【００３４】
カバー５は、子供用敷寝具１の一部を形成する子供用敷寝具カバーであり、図２で示されるように、カバー本体１０（本体部）と、クッション部材１１（隆起形成体）を備えている。
【００３５】
カバー本体１０は、内部収容部材４に対して取り付けられ、内部収容部材４の表面全域を覆う部材である。すなわち、カバー本体１０（カバー５）は、内部収容部材４を内部に収容することで、内部収容部材４に対して取り付けられる部材である。
【００３６】
このカバー本体１０は、布製の袋状部材であり、子供（人物）が横になる部分を形成する上面形成部２０（寝床部）と、設置面との接触部分を形成する下面形成部２１と、その間に位置する側壁形成部２２とを有する（図２、図４参照）。そして、これら上面形成部２０、下面形成部２１、側壁形成部２２を立体的に縫い合わせて形成されている。
【００３７】
上面形成部２０は、平面視形状が略四角形状であり、内部収容部材４の上面の上側に重なる部分である。すなわち、この上面形成部２０は、子供が横になるための領域（以下寝床領域とも称す）と、その周辺に位置する領域を形成する。
【００３８】
上面形成部２０には、図１で示されるように、寝床領域を示す第一目印部３０（目印部）と、クッション部材１１の収納位置を示す第二目印部３１が形成されている。
第一目印部３０と第二目印部３１は、いずれも上面形成部２０に小布を縫い付けて特定の模様を形成した部分である。第一目印部３０は、人体を模した模様を形成しており、第二目印部３１は、半円と四角形を組み合わせた幾何学模様を形成している。また、これらの模様は、それぞれ周囲の部分（上面形成部２０の他の部分）とは異なる色で形成されている。
【００３９】
第一目印部３０は、具体的には、頭部目印部３０ａと、腕部目印部３０ｂと、胴部目印部３０ｃと、脚部目印部３０ｄによって構成されている。
頭部目印部３０ａは、上面形成部２０において子供の頭部が位置する領域（頭部載置領域）を示す目印部分である。
腕部目印部３０ｂは、上面形成部２０において子供の腕部が位置する領域（右腕載置領域、左腕載置領域）を示す目印部分である。
胴部目印部３０ｃは、上面形成部２０において子供の胴部が位置する領域（胴部載置領域）を示す目印部分である。
脚部目印部３０ｄは、上面形成部２０において子供の脚部が位置する領域（右脚載置領域、左脚載置領域）を示す目印部分である。
これらは、子供を寝かせたとき、各部を載置することが好ましい部分を示すものであり、それぞれ人体の各部を模した形状となっている。
【００４０】
詳細には、腕部目印部３０ｂは、２つ設けられており、それぞれ右腕の載置位置と、左腕の載置位置を示すものとなっている。なお、この２つの腕部目印部３０ｂは、胴部目印部３０ｃと一体に形成されており、それぞれが胴部目印部３０ｃから外側に延びている。
脚部目印部３０ｄもまた、２つ設けられており、それぞれ右脚の載置位置と、左脚の載置位置を示すものとなっている
【００４１】
第二目印部３１は、後述する３つの収容部４０のうち、二つの収容部４０のそれぞれと重なる位置に一つずつ形成されている（二つのうちの一方の収容部４０は、図１では図示しない）。
詳細には、二つの第二目印部３１は、上面形成部２０の左右方向で間隔を開けて並列配置するように形成されており、一方が、左右方向における一端側に形成され、他方が、他端側に形成されている。これらは、いずれも左右方向における端部側から中央側へ向かって延びており、延び方向の先端側に位置する中央側の部分が、一方の腕部目印部３０ｂと、胴部目印部３０ｃと、一方の脚部目印部３０ｄのそれぞれと近接する位置に配されている。
【００４２】
また、本実施形態のカバー５では、図２で示されるように、下面形成部２１と一つの側壁形成部２２との境界近傍となる部分に、本体開口部３５が形成されている。
この本体開口部３５は、スリット部分に線ファスナーを取り付けて形成される部分であり、線ファスナーを開状態とすることで、カバー本体１０の内部空間と外部を連通する開口部分を形成する。すなわち、本体開口部３５は、内部収容部材４の入込口及び取出口となる部分であり、開閉可能な構造となっている。
【００４３】
ここで、カバー５の内部空間は、内部収容部材４を略丁度収納可能な大きさとなっている。このことから、カバー５の内部空間における規定位置に内部収容部材４を収容し、本体開口部３５を閉状態とすることで、カバー５を内部収容部材４に対して位置ずれしない（位置ずれし難い）状態とすることが可能である。
【００４４】
さらに、カバー本体１０には、図１、図４、図５で示されるように、複数の収容部４０が形成されている。具体的には、第一収容部４１、第二収容部４２、第三収容部４３からなる３つの収容部４０が形成されている。
これらの収容部４０は、図４で示されるように、クッション部材１１を内部に収容可能な袋状部分であり、子供用敷寝具１の形成時に内部収容部材４の上側に載置された状態となる。すなわち、それぞれの収容部４０は、カバー本体１０の上面形成部２０の下方側であり、下面形成部２１の上方に形成されている。
【００４５】
これらの収容部４０は、図４、図５で示されるように、上面形成部２０の下方側であり、寝床領域と隣接する領域（以下、隣接領域とも称する）の下方側に形成されている。つまり、平面視で隣接領域と重なる位置に形成されている。
【００４６】
第一収容部４１は、上面形成部２０の左右方向における片側端部側の部分と重なる位置に開口部４１ａを有しており、左右方向の中心側へ延びている。
第二収容部４２は、上面形成部２０の左右方向における他方端部側の部分と重なる位置に開口部４２ａを有しており、左右方向の中心側へ延びている。
第三収容部４３は、上面形成部２０の前端側部分と重なる位置に開口部４３ａを有しており、前後方向の中心側へ延びている。
これらはいずれも、開口部４１ａ，４２ａ，４３ａを通じて外部と連なる内部空間を有する部分である。すなわち、各収容部４０の内部空間は、開口部４１ａ，４２ａ，４３ａが形成される部分を除いた縁側部分が閉塞された空間となっている。
【００４７】
詳細には、それぞれの開口部４１ａ，４２ａ，４３ａは、いずれも上面形成部２０と側壁形成部２２の間に形成されている（図１等参照）。
そして、これらの開口部４１ａ，４２ａ，４３ａは、いずれも狭窄した開口部分である。すなわち、図５で示されるように、各収容部４０は、平面視における最大幅が開口部４１ａ，４２ａ，４３ａ周辺の幅よりも長い。つまり、奥側の最大幅が開口部４１ａ，４２ａ，４３ａの幅よりも長くなっている。
また、図１、図４、図５で示されるように、第一収容部４１の開口部４１ａと、第二収容部４２の開口部４２ａは、左右方向で離れた位置に形成され、互いに逆向きに開口している。そして、第三収容部４３の開口部４３ａは、これら２つの開口部４１ａ，４１ａの間から前方に離れた位置に形成されている。
【００４８】
これらの収容部４０は、図５で示されるように、内部空間の最も奥側となる部分が丸みを帯びた形状となっている。すなわち、平面視において、寝床領域側に丸みを帯びて凸となる形状となっている。
【００４９】
また、図１で示されるように、本実施形態のカバー本体１０は、ベルト部材１３（ベルト部）を備えた構造となっている。
【００５０】
ベルト部材１３は、図２で示されるように、第一帯形成片５０と第二帯形成片５１からなる２つの帯状部分と、ベルト連結部材５２によって構成されている。
【００５１】
第一帯形成片５０と第二帯形成片５１は、それぞれが帯状に延びる部分であり、いずれも一端側が側壁形成部２２に固定されている。すなわち、一方の帯形成片（第一帯形成片５０）の一端側が、左右方向で離間対向する位置にある２つの側壁形成部２２の一方に固定され、他方の帯形成片（第二帯形成片５１）の一端側が、他方の側壁形成部２２に固定されている。
【００５２】
ここで、ベルト連結部材５２は、ベルト留め具であり、対となる第一連結片５２ａと第二連結片５２ｂによって形成されている。
第一連結片５２ａと第二連結片５２ｂは、手動の操作によって係合及び係合解除が可能な部材であり、一方が第一帯形成片５０の自由端側に取り付けられ、他方が第二帯形成片５１の自由端側に取り付けられている。
【００５３】
以上のことから、第一連結片５２ａと第二連結片５２ｂを係合状態とすることで、第一帯形成片５０と第二帯形成片５１が一連の帯状部分を形成した状態となる。対して、係合解除状態とすることで、第一帯形成片５０と第二帯形成片５１のそれぞれの自由端を別途移動させることが可能な状態となる。
つまり、ベルト部材１３は、左右方向の片側端部側から他方端部側までの間で延びた状態（以下、連結状態も称す）と、中途部分が断絶した状態（以下、分離状態とも称す）の切り替えが可能となっている。
【００５４】
クッション部材１１は、袋状の外皮部材に対し、流動可能な多数の粒状部材を収容して形成される部材である。詳細には、樹脂発泡粒子である合成樹脂製の発泡ビーズを充填材とする部材となっている。
なお、本実施形態では、クッション部材１１として、ビーズ材が封入されたクッション体（所謂ビーズクッション）を採用している。
【００５５】
このクッション部材１１は、外力により変形する柔軟性を有する部材となっている。すなわち、外力に起因する充填材の内部流動により、外形が変形する（形状変形する）部材である。
【００５６】
ここで、本実施形態では、３つのクッション部材１１の通常形状（外力が加わらない変形前の形状）がそれぞれ異なる形状となっている。
詳細には、図２で示されるように、少なくとも一つ（本実施形態では２つ）のクッション部材１１の通常形状は、丸みを帯びた塊状体である本体部分１１ａと、本体部分１１ａの一部から外側へ突出する（隆起する）膨出部１１ｂを有する歪な形状となっている。
また、他の一つのクッション部材１１の通常形状は、丸みを帯びた塊状体であって、略楕円体（三軸不等楕円体）となっている。
すなわち、いずれも全体的に丸まった塊状体となる部分を有する部材となっている。
【００５７】
続いて、本実施形態に係る子供用敷寝具１の構造について詳細に説明する。
【００５８】
本実施形態の子供用敷寝具１は、図１、図４で示されるように、それぞれの収容部４０（第一収容部４１、第二収容部４２、第三収容部４３）にクッション部材１１を収納することで、上面に隆起部分６０が形成される構造となっている。
【００５９】
すなわち、それぞれの収容部４０にクッション部材１１を収容すると、図４で示されるように、収容部４０の一部を挟んで内部収容部材４の上面にクッション部材１１が載置された状態となる。このことから、上面形成部２０の一部がクッション部材１１に押し上げられ、クッション部材１１の上側部分に沿う形状に変形し、上方に盛り上がった状態となって隆起部分６０が形成される。
【００６０】
ここで、本実施形態のカバー５では、図５で示されるように、子供が横になる寝床領域と隣接する個所の下方側（内部側であり、下面形成部２１側）となる位置に、収容部４０の奥側部分を位置させている。このことから、図６で示されるように、子供の両脇に近接する個所と、股下に近接する個所のそれぞれに隆起部分６０を形成できる。
すなわち、子供の胴部分の右側方に隣接する位置であって右腕の付け根と隣接する位置に第一の隆起部分６０を形成可能である。また、胴部分の左側方に隣接する位置であって左腕の付け根と隣接する位置に第二の隆起部分６０を形成可能である。そして、子供の股の間であって足の付け根と隣接する位置に、さらに第三の隆起部分６０を形成できる。
【００６１】
このように、上面形成部２０の脇部分を載置する領域の近傍と、腰部分を載置する領域の近傍に隆起部分６０を形成可能な構造によると、寝ている子供の寝返り動作等の動きを規制可能であり、子供の姿勢変更を抑制できる。
【００６２】
これに加え、本実施形態のカバー５は、上記したように、ベルト部材１３を有する構造となっている。
このことから、子供を寝床領域に寝かせ、ベルト部材１３を分離状態から連結状態へ移行することで、ベルト部材１３と上面形成部２０の間に子供を位置させることができる。つまり、ベルト部材１３が子供の胴部分の上側を横切るように延びた状態とすることで、子供の寝返り動作等の動きをさらに確実に規制することができる。
【００６３】
ここで、本実施形態のカバー５では、上記したように、開口部４１ａ，４２ａ，４３ａが狭窄した形状となっている（図５参照）。そして、クッション部材１１が外力により一時変形可能な部材となっている。
このことから、図７で示されるように、クッション部材１１を一時変形させて開口部４１ａ，４２ａ，４３ａ（図７では開口部４２ａ）を通過させ、収容部４０の内部で再度形状を変形させることが可能となっている。
【００６４】
詳細には、クッション部材１１を収容部４０の内部に入れ込むとき、そのままでは開口部４１ａ，４２ａ，４３ａを通過できない部分を外力によって変形させる。すなわち、所定方向の長さ（例えば、図７における上下方向の長さ）が、開口部４１ａ，４２ａ，４３ａの同方向の最大長さ（最も広げたときの長さ）よりも長い部分を一時変形させる。
そして、開口部４１ａ，４２ａ，４３ａを通過させた後、クッション部材１１の一時変形させた部分の形状を変形前の形状、又は変形前の形状と近似する形状に変形させる。
つまり、クッション部材１１を少なくとも一部分が開口部４１ａ，４２ａ，４３ａを通過できない形状とした状態から、各部又は全体を変形させることで、開口部４１ａ，４２ａ，４３ａを通過させる。そして、収容部４０の内部において、通過前の形状又はそれに近似した形状に変形させる。
【００６５】
このようにクッション部材１１を入れ込むことで、収容部４０に収容したクッション部材１１が子供の寝返り動作等によって開口部４１ａ，４２ａ，４３ａ側へ押されても、狭窄された開口部４１ａ，４２ａ，４３ａにクッション部材１１が引っかかる。このことから、クッション部材１１の収容部４０からの意図しない抜け落ちを抑制（防止）できる。
【００６６】
さらに、本実施形態では、図８で示されるように、収容部４０の容積がクッション部材１１の体積よりも大きくなっており、クッション部材１１を収容部４０の内部で移動させることが可能となっている。
このことから、隆起部分６０の水平方向における形成位置を微細に調整可能であり、寝かせる子供の大きさに応じて適切な位置に隆起部分６０を形成できる。
【００６７】
また、本実施形態では、クッション部材１１の通常形状が上記した形状（膨出部１１ｂを有する歪な形状）であることから、クッション部材１１の向き（姿勢）を変更することで、クッション部材１１の上下方向の長さを変更可能となっている。
例えば、膨出部１１ｂ（図２参照）が上方に位置する姿勢とすることで、膨出部１１ｂを側方に位置させた姿勢に比べ、上下方向の長さを長くすることが可能である。
このことから、クッション部材１１の向きを収容部４０の内部で変更することで、隆起部分６０の隆起高さを変更可能となっている。言い換えると、隆起部分６０の高さ調整が可能となっている。
【００６８】
続いて、上記とは異なる実施形態の子供用敷寝具１０１（敷寝具）について、図面を参照しつつ説明する。また、上記した実施形態と同様の部分については、同じ符号を付し、重複する説明を省略する。
【００６９】
本実施形態の子供用敷寝具１０１は、図９で示されるように、子供の頭部が位置する領域（頭部載置領域）を周囲よりも窪んだ部分とした点において、上記実施形態とは異なっている。
【００７０】
頭部載置凹部１０７は、平面視が円形又は楕円形（本実施形態では円形）となるように上面形成部２０に形成された窪み部分である。詳細には、子供用敷寝具１０１の縁端部分から中央側に離れた位置であり、寝床領域の一部である頭部目印部３０ａが位置する部分に形成されている。
つまり、頭部載置凹部１０７は、周囲よりも下方に窪む部分であり、縁端から中央側に向かって徐々に深さが深くなる凹部となっている。
【００７１】
具体的には、この子供用敷寝具１０１では、図１０で示されるように、基材１０２の上側部分に周囲よりも窪んだ部分である凹部形成部１０８を形成している。そして、この凹部形成部１０８に沿うように綿シート３の一部が重なることで、内部収容部材１０４の上側部分に周囲より窪んだ部分である芯材側凹部１０９が形成されている。さらに、図９で示されるように、この芯材側凹部１０９に沿うようにカバー５（上面形成部２０）が重なることで、頭部載置凹部１０７が形成されている。
つまり、基材１０２（内部収容部材１０４）の上側部分に窪み部分を形成することで、頭部載置凹部１０７が形成されている。
【００７２】
本実施形態の基材１０２は、凹部形成部１０８を形成した点が上記した基材２と異なっている。凹部形成部１０８は、基材１０２の上側部分の一部を欠落させて形成された部分であり、基材１０２の縁端部分から離れた位置に形成されている。この凹部形成部１０８は、スプーン状の窪み部分であって、当然のことながら、上記した頭部載置凹部１０７と略同形状の窪み部分となる。
【００７３】
なお、本実施形態では、基材１０２の縁端部分から離れた位置に凹部形成部１０８を形成した例について説明したが、これに限るものでなく、一部が基材１０２の縁端部分と連なるように形成してもよい。つまり、凹部形成部は、基材の縁端部分から延びる形状であってもよく、凹部形成部の一部が基材の縁端部分に欠落部を形成する構造であってもよい。
そして、凹部形成部の形状もまた、平面視形状が略円形や略楕円形となるものに限らず、例えば、平面視形状が略多角形状となるものであってもよい。さらに、これらの形状の辺の一部が変形したような歪な形状であってもよい。加えて、凹部形成部は、窪んだ部分の内側にさらに窪み部分や隆起部分を有する形成であってもよい。すなわち、全体として下方に窪んだ凹部が形成されればよい。
【００７４】
また、上記した実施形態では、凹部形成部１０８と綿シート３が重なった状態において、凹部形成部１０８の底部分及び周壁部分を形成する部分（面）の全域と、綿シート３を接触させた例について説明した。しかしながら、凹部形成部１０８の底部分及び周壁部分を形成する部分の一部又は全域と綿シート３が離間していてもかまわない。凹部形成部１０８によって形成される空間内に綿シート３の一部が位置していればよい。つまり、凹部形成部１０８を覆う綿シート３の一部が、張りが生じた状態で凹部形成部１０８の内部空間に位置するような構造でもよい。
同様に、芯材側凹部１０９の底部分及び周壁部分を形成する面の全域とカバー５が必ずしも接触する必要はなく、芯材側凹部１０９によって形成された空間内にカバー５の一部が位置し、下方に窪んだ部分が形成されればよい。
【００７５】
上記した実施形態では、上面形成部２０と側壁形成部２２の境界部分に開口部４１ａ，４２ａ，４３ａを形成した例を示したが、本発明はこれに限るものではない。それぞれの収容部４０の開口部分は、上面形成部２０に形成してもよく、側壁形成部２２に形成してもよい。すなわち、これら上面形成部２０、側壁形成部２２に切り込み部分（スリット溝）を形成し、収容部４０の開口部分と連続させてもよい。
また、上面形成部２０と側壁形成部２２に跨って延びる開口部分を形成してもよい。
【００７６】
また、上記した実施形態では、平面視における開口部４１ａ，４２ａ，４３ａの延び方向が、各収容部４０の延び方向（開口から奥に向かう方向）と直交するように形成したが、本発明はこれに限るものではない。
これらは、各収容部４０の延び方向に沿う方向でもよく、延び方向と交わる方向でもよい。
【００７７】
上記した実施形態では、基材２に対して綿シート３を取り付けて内部収容部材４を形成したが、本発明はこれに限るものではない。例えば、基材２に綿シート３を取り付けず、基材２そのものを内部収容部材として使用してもよい。すなわち、カバー５の内部に収容される内部収容部材は、基材２そのものであってもよい。
つまり、内部収容部材は、基材２又は基材２を含んで形成される部材であり、カバー５は、少なくとも内部収容部材の上方を覆うように取り付けられる部材である。すなわち、カバー５は、少なくとも一部が基材２の上方に位置する。
しかしながら、吸汗性の向上等の観点から、上記したように、綿シート３を基材２に取り付けて内部収容部材４を形成することが好ましい。
【００７８】
上記した実施形態では、上面形成部２０に小布を縫い付け、人体を模した模様を形成した第一目印部３０の例を示したが、本発明はこれに限るものではない。
目印部は、小布等の他部材を取り付けて立体的に形成されるものに限らず、カバーに対して印刷を施したものであってもよい。つまり、上面形成部に印刷した絵、写真、模様等の図柄であってもよい。
また、この立体的又は平面的に形成される図柄は、人体を模した模様だけでなく、実存人物を表すもの、又は、実存人物を模したものでもよい。さらに、仮想人物を表すものでもよく、動物、植物、ロボット等の機械、道具等の器物、何等かの物体を擬人化したものでもよく、アニメーション等のキャラクターであってもよい。すなわち、人物を寝かせる位置を示すことが可能な図柄であればよい。
【００７９】
さらに、第一目印部３０において、各部の載置位置を示す目印部分は、一体に形成してもよく、別途形成してもよい。例えば、頭部目印部３０ａと胴部目印部３０ｃの間に首を模した目印部を形成し、これらを一体に形成してもよい。反対に、腕部目印部３０ｂと胴部目印部３０ｃを上記の様に一体に形成せず、これらの間に隙間を形成し、それぞれを離れた位置に形成してもよい。
また、各部の載置位置を示す目印部分は、必ずしも人体の各部を模した形状でなくてもよく、それぞれの載置位置を示すことが可能な図柄であればよい。したがって、それぞれの目印部分は、必ずしも全体として統一のとれた図柄でなくてもよい。
【００８０】
同様に、収容部４０の位置を示す第二目印部の図柄もまた、上記した模様に限定されるものではなく、適宜変更してよい。すなわち、収容部４０の位置を示すことが可能な図柄であればよい。
【００８１】
上記した実施形態では、線ファスナーを設けて本体開口部３５を開閉可能な構造としたが、本発明はこれに限るものではなく、例えば、スナップボタン等を設ける構造であってもよい。すなわち、本体の開口を開閉可能な構造とすればよい。
【００８２】
上記した実施形態では、内部収容部材４をカバー５の内部に収容して形成される子供用敷寝具１の例を示したが、本発明はこれに限るものでない。
カバーは、内部収容部材に対して必ずしも着脱可能に形成しなくてもよく、一体に形成してもよい。また、外表面を形成する表皮部材と芯材が一体に形成されたマット部材やクッション体に対して収容部を直接形成する構造が考えられる。
つまり、マット状部材やクッション体そのものを本体部とし、本体部の上面を寝床部としてもよい。このとき、これらの表皮部材の一部に袋状の収納部を設け、上記したクッション部材１１を収納及び取り出し可能としてもよい。この構造においてもまた、クッション部材１１を収容部に収容することで、寝床部に隆起部分が形成されることとなる。
【００８３】
また、上記した実施形態では子供用の敷寝具を形成した例を示したが、大型化し、大人が使用できるものとすることも考えられる。
【符号の説明】
【００８４】
１，１０１  子供用敷寝具（敷寝具）
２，１０２  基材
５  カバー（敷寝具カバー）
１０  カバー本体（本体部）
１１  クッション部材（隆起形成体）
１３  ベルト部材（ベルト部）
２０  上面形成部（寝床部）
３０  第一目印部（目印部）
４０  収容部
４１ａ  開口部
４２ａ  開口部
４３ａ  開口部
６０  隆起部分
【図１】
2019107403.tif 000003
【図２】
2019107403.tif 000004
【図３】
2019107403.tif 000005
【図４】
2019107403.tif 000006
【図５】
2019107403.tif 000007
【図６】
2019107403.tif 000008
【図７】
2019107403.tif 000009
【図８】
2019107403.tif 000010
【図９】
2019107403.tif 000011
【図１０】
2019107403.tif 000012